(57)【要約】【課題】  装飾性を高めた時計を提供する。【解決手段】  時計針を有する時計について、少なくとも一つの時計針の先端に取り付け台座を設け、取り付け台座に、表面に任意のカット加工を施し、位置移動にあわせて光反射を変える宝石や擬似宝石もしくは、任意の形状のプレートよりなる立体装飾体を設けたものであり、時計盤の各針の可動に影響を及ぼさないように各針が形成されたものであることを特徴とする装飾時計。【選択図】  図１
2006194849.tif 000002
【特許請求の範囲】
【請求項１】
時計針を有する時計において、少なくとも最上位に位置する時計針の先端に取り付け台座を設け、取り付け台座に表面に任意のカット加工を施され位置移動にあわせて光反射を変える宝石や擬似宝石よりなる立体装飾体を設けたことを特徴とする装飾時計。
【請求項２】
時計針を有する時計において、複数の時計針が同軸上の駆動軸に上から下に向かって長い針となるように配置され、各時計針の先端の他の時計針に接触しないように取り付け台座を設け、各取り付け台座に表面に任意のカット加工を施され位置移動にあわせて光反射を変える宝石や擬似宝石よりなる立体装飾体を設けたことを特徴とする装飾時計。
【請求項３】
時計針を有する時計において、複数の時計針が同軸上の駆動軸に上から下に向かって短い針となるように配置され、同軸上の駆動軸に設けられた複数の時計針の各時計針の先端に取り付け台座を設け、各取り付け台座に、表面に任意のカット加工を施され、位置移動にあわせて光反射を変える宝石や擬似宝石よりなる立体装飾体を設け、各時計針間は上下の時計針に設けられた台座ならびに立体装飾体が他の時計針に接触しない間隔となったものであることを特徴とする装飾時計。
【請求項４】
時計針を有する時計において、少なくとも一つの時計針の先端に取り付け台座を設け、取り付け台座に記号や図形よりなる任意の商標を形状とした立体プレートを設けた装飾時計。
【請求項５】
時計針を有する時計において、少なくとも一つの時計針の先端を記号や図形よりなる任意の商標の形状とした装飾時計。
【請求項６】
時計本体に、前記立体装飾体の通過位置に光を照射する照明機構を設けたことを特徴とする請求項１，２，３，４又は５記載の装飾時計。
【発明の詳細な説明】
【技術分野】
【０００１】  装飾性を高めた時計に関するものである。
【背景技術】
【０００２】  従来の時計針は先端が尖った平板棒状のものであり、先端形状を平面的に任意の形状にしたものであった。また、その配置としては、上から秒針・分針・時針の順に設置されていた。
【発明の開示】
【発明が解決しようとする課題】
【０００３】  従来の時計針は、上から秒針・分針・時針の順に設置され、形状のバリエーションしか楽しめなかった。針の形状としては、単純な針形状となっていることで装飾性に欠けていた。
【発明を解決するための手段】
【０００４】  時計針を有する時計において、少なくとも一つの時計針の先端に取り付け台座を設け、取り付け台座の表面に任意のカット加工を施し、位置移動にあわせて光反射を変える宝石や擬似宝石もしくは、任意の形状の立体プレートよりなる立体装飾体を設けたものであり、時計盤の各針の可動に影響を及ぼさないように各針が形成されたものであることを特徴とする。
【発明の効果】
【０００５】  時計針が時を刻むごとに、その先端で光る光を観賞することができる。また、時計自体がケース構造になっており、宝石や擬似宝石よりなる立体装飾体が傷つかない。さらに、光を照射する機構により、光反射の美しさをより味わうことができる。そして、その高級感から美術品を鑑賞したときのような豊かな気持ちになれる。
また、時計針の配置は、従来のように上から秒針・分針・時針の順に設置する場合（図３）と、その逆に上から、時針・分針・秒針の順に設置する場合（図２）のどちらかを、その時計針の先端に設ける立体装飾体にあわせて選択するものとすることで、よりその立体装飾体の特質を活かした構造とすることができる。
【発明を実施するための最良の形態】
【０００６】  以下、本発明の実施の形態を図１、図２を利用して説明する。
本発明は腕時計、置時計、掛け時計などの針を有する時計の針を主体とした技術に関するものである。図及び本説明において、時刻針、分針、秒針などを駆動させる制御構造に関しては、従来利用される各種技術と同一であるので、ここでは説明を省略するものとする。
図２において、本発明は時計の外ケース１内側の段差構造となった時計盤受け部１６に時計盤２が設けられている。この時計盤２は表面に針の指す位置によって時刻を把握するための任意の表示が施されたものである。また、中心部付近には、針を取り付ける軸を通過させるための孔１５が設けられている。
本発明では、同軸上に径の異なる管状の軸が設けられており、それぞれの軸はケース内部にある制御機構により時間、分、秒にあわせてそれぞれ対応した回転をするものである。図２における事例においては、内側から時刻針軸７、分針軸８、秒針軸９となっている。分針軸８は秒針軸９よりも上方に突出した高さとなっており、時刻針軸７は分針軸８よりも上方に突出した高さとなったものである。
各軸には対応した針がキャップを介して軸に取り付けられている。
時刻針４は軸取付側端部下に時刻針キャップ１０が取り付けられたものであり、他端上面に宝石などを固定する台座１３ａが設けられている。
時刻針キャップ１０は円筒状の本体の中央下部に前記時刻針軸７に嵌合する突起部が設けられたものであり、軸の回転にそって安定して動くようになっている。
台座１３ａは複数の固定脚を上方に有するものであり、これにより宝石が固定されるようになっている。図においては、ダイヤモンド石１４が取り付けられている。
分針５は前記時刻針４よりも長いもので、軸取付側端部下に分針キャップ１１が取り付けられたものであり、他端上面に宝石などを固定する台座１３ｂが設けられている。
台座１３ｂに関しては前記と同様の構造となっている。
分針キャップ１１は中央に前記時刻針軸７が通過する開口部を有するとともに分針軸８上部に取り付けるものであり、軸の回転にそって安定して動くようになっている。
秒針６は前記分針５よりも長いもので、軸取付側端部下に秒針キャップ１２が取り付けられたものであり、他端上面に宝石などを固定する台座１３ｃが設けられている。
台座１３ｃに関しては前記と同様の構造となっている。
秒針キャップ１２は中央に前記分針軸８が通過する開口部を有するとともに分針軸８上部に取り付けるものであり、軸の回転にそって安定して動くようになっている。
時刻針４、分針５、秒針６は図に示すように各針が取り付けられた軸の高さおよびキャップの形状により高低差が生じ台座及びダイヤモンドが取り付けられた針とは異なる針に接触しないようになっている。
外ケース１には、内側壁に開口部を有する照明収納部１８が設けられており、更に電池室あるいは内部制御室につながるコードガイド孔が設けられている。
照明収納部１８にはライト１９が、前記ダイヤモンドが通過移動する位置を照らす方向に設けられている。また、ライト１９から制御部や電池へ配線されるコード２０がコードガイド孔を通して、それぞれ配線される。また、時計には照明スイッチ２１が設けられており、これを押すことでライト１９が点灯するようになっている。
尚、図においては時刻針４、分針５、秒針６は上下に設けられたダイヤモンドと接触しない高さおよび針の長さとなっているが、長さで調整できる場合においては時刻針４、分針５、秒針６の高さ間隔は針同士が接触しない範囲で縮めることが可能である。逆に、時刻針４、分針５、秒針６の高さ間隔が上下ダイヤモンドに接触しない十分な間隔がある場合に関しては、針の長さは考慮しなくてもよい。
本発明は、以上の構成よりなっている。【０００７】  本発明の使用状態としては、時刻針、分針、秒針がそれぞれ通常の制御により動く。この際、針の先端に固定されたダイヤモンドが装飾効果を向上させる。また、各ダイヤモンドが各針やその他部材に触れることなく動くので、傷つくことがない。また、カットや手の動き、光源の位置により、様々な反射が発生し、光反射による装飾効果も加わる。
更に、ライトを利用することで照射された強い光が動きの過程でダイヤモンドにあたり、異なる反射効果を醸し出す。【０００８】  以下、本発明の第二実施の形態について図３をもちいて説明する。
本事例においては、秒針から時刻針までの配置が逆になったものである。すなわち、時刻針軸７、分針軸８、秒針軸９が前記事例とは逆の位置に設けられており、それぞれに時刻針４、分針５、秒針６が設けられている。
この際、時刻針４、分針５、秒針６の高さ間隔は上下ダイヤモンドに接触しない十分な間隔よりなったものである。
本事例においても、前記事例と同様の作用効果を得ることができる。【０００９】  以下、本発明の第三実施の形態について図４をもちいて説明する。
本事例においては、台座及びダイヤモンドに変わり、ロゴマークや商標等を立体的にした立体的な立体装飾体２２が設けられたものである。
前記事例においては、針先端においてダイヤモンドなどの宝石が針から上部に立体的に配置されたものであるが、本事例においては下に配置された針に接触しない範囲で下方向へも立体展開可能となっており、より立体感を得ることができるようになっている。【００１０】以下、本発明の第四実施の形態について説明する。
本事例においては、台座及びダイヤモンドに変わり、針自体の形状をロゴマークや商標等の立体装飾体に成形することにより、装飾効果を加えるものである。
【図面の簡単な説明】
【００１１】
【図１】  本発明の平面図
【図２】  本発明の要部断面図
【図３】  本発明の第二実施形態の要部断面図
【図４】  本発明の第三実施形態の説明図
【符号の説明】
【００１２】１  外ケース、          ２  時計盤、
３  ガラス蓋、          ４  時刻針、
５  分針、              ６  秒針、
７  時刻針軸、          ８  分針軸、
９  秒針軸、            １０  時刻針キャップ、
１１  分針キャップ、    １２  秒針キャップ、
１３；１３ａ；１３ｂ；１３ｃ  台座、
１４  ダイヤモンド石、  １５  孔、
１６  時計盤受け部、    １７  蓋受け部、
１８  照明収納部、      １９  ライト、
２０  配線、            ２１  照明スイッチ、
２２  立体装飾体
【図１】
2006194849.tif 000003
【図２】
2006194849.tif 000004
【図３】
2006194849.tif 000005
【図４】
2006194849.tif 000006